(57)【要約】【課題】安価、且つ自由に文字や絵、絵文字あるいはカラーコード等の捺印パターンを作成することができる多色印判および多色印判組立キットを目的とするものである。【解決手段】肉薄隔壁により縦横に仕切られた多数の駒印立穴４０を上面に備えた駒印整列トレー４と、前記した各駒印立穴４０に少なくとも端部が嵌挿される大きさで、一端面を駒印面とし他端を印盤体２への連結部とした駒印５よりなる複数色の駒印群と、前記した駒印整列トレー４の駒印立穴４０に対応する駒印受部が下面に形成されていてその下面側を駒印整列トレー４の上面と突き合わせることにより駒印整列トレー４に整列された駒印５が駒印立穴４０から前記連結部をもって駒印受部に移し変えられて下面に多数の駒印５の駒印面よりなる多色捺印用印面を形成する印盤体２よりなるものである。【選択図】  図１
2008100474.tif 000002
【特許請求の範囲】
【請求項１】
肉薄隔壁により縦横に仕切られた多数の駒印立穴を上面に備えた駒印整列トレーと、前記した各駒印立穴に少なくとも端部が嵌挿される大きさで、一端面が駒印面とされ他端は印盤体への連結部とされている多数の駒印よりなる複数色の駒印群と、前記した駒印整列トレーの駒印立穴に対応する駒印受部が下面に形成されていてこの下面側を駒印整列トレーの上面と突き合わせることにより駒印整列トレーに整列された駒印が駒印立穴から前記連結部をもって駒印受部に移し変えられて下面に多数の駒印面よりなる多色捺印用印面を形成する印盤体とよりなることを特徴とする多色印判。
【請求項２】
駒印に設けられた印盤体への連結部が、駒印の他端面に設けたピン差込穴であり、印盤体の駒印受部にはピン差込穴に差込まれる保持ピンが設けられている請求項１に記載の多色印判。
【請求項３】
色の異なる複数色の駒印群が、駒印整列箱に色毎に区分けして収納されている請求項１または２に記載の多色印判。
【請求項４】
駒印は、その少なくとも印面側が無数の連続気孔を有する多孔性印材よりなるものである請求項１〜３のいずれかに記載の多色印判。
【請求項５】
印盤体が、把持筒の下端に取り付けられたものである請求項１〜４のいずれかに記載の多色印判。
【請求項６】
印盤体の下面に形成される多色捺印用印面を、複数色よりなるカラーコード用のものとした請求項１〜５のいずれかに記載の多色印判。
【請求項７】
肉薄隔壁により縦横に仕切られた多数の駒印立穴を上面に備えた駒印整列トレーと、前記した各駒印立穴に少なくとも端部が嵌挿される大きさで、一端面が駒印面とされ他端は印盤体への連結部とされている多数の駒印よりなる複数色の駒印群と、前記した駒印整列トレーの駒印立穴に対応する駒印受部が下面に形成されている把持筒と、駒印整列箱から駒印を摘み出す摘み具とを、収納ケースに区画形成されている収納用凹部に各別に収納してあることを特徴とする多色印判組立キット。
【発明の詳細な説明】
【技術分野】
【０００１】
本発明は文字や絵、絵文字あるいはカラーコード等種々の多色捺印用印面を自由に作成することができる多色印判および多色印判組立キットに関するものである。
【背景技術】
【０００２】
従来、捺印面を自由に作成することができるスタンプとしては、記憶された複数の捺印パターンに従ってドットマトリックス発熱体を制御して捺印パターン形成部の捺印用インキを軟化または溶融させ、該溶融または軟化したインキによる捺印像をスタンプ台に形成し、該スタンプ台から捺印像を受け取り被捺印物に捺印パターンを転写するものがある（例えば、特許文献１参照）。また、バーコードのパターンに応じた幅の凸部や凹部を有する印字部を取付部に着脱自在に取り付けてバーコードを捺印できるバーコード用スタンプがある（例えば、特許文献２参照）。さらに、端面にバーコードパターンを形成した印盤を有する複数のスティックをその側壁面に形成された係合部により連結一体化してバーコードを捺印するバーコードスタンプがある（例えば、特許文献３参照）。
【０００３】
しかし、特許文献１のものではインキを軟化させたり溶融させたりする発熱体をコンピュータにより制御する必要があるため、個人ユーザーが使用する商品としては高価すぎるという問題がある。また、特許文献２、３のものは、二次元バーコード専用のスタンプであるため精度の高い解像度を必要とするうえに、文字や絵あるいは絵文字等の捺印パターンを作成することができず、個人ユーザー向けの商品としては成立しにくいという問題がある。
【特許文献１】特開平６−１６６２５３号公報
【特許文献２】特開平９−９９６１７号公報
【特許文献３】実開平１−８５０６７号公報
【発明の開示】
【発明が解決しようとする課題】
【０００４】
本発明は、安価、且つ自由に文字や絵、絵文字あるいはカラーコード等の捺印パターンを作成することができる用途の広い多色印判およびこの多色印判を容易に提供できる多色印判組立キットを目的とするものである。
【課題を解決するための手段】
【０００５】
前記のような課題を解決した本発明の多色印判は、肉薄隔壁により縦横に仕切られた多数の駒印立穴を上面に備えた駒印整列トレーと、前記した各駒印立穴に少なくとも端部が嵌挿される大きさで、一端面が駒印面とされ他端は印盤体への連結部とされている駒印よりなる複数色の駒印群と、前記した駒印整列トレーの駒印立穴に対応する駒印受部が下面に形成されていてその下面側を駒印整列トレーの上面と突き合わせることにより駒印整列トレーに整列された駒印が駒印立穴から前記連結部をもって駒印受部に移し変えられて下面に多数の駒印面よりなる多色捺印用印面を形成する印盤体とよりなることを特徴とする多色印判と、このような多色印判を組み立て易いようにキット化した多色印判組立キット，すなわち、肉薄隔壁により縦横に仕切られた多数の駒印立穴を上面に備えた駒印整列トレーと、前記した各駒印立穴に少なくとも端部が嵌挿される大きさで、一端面が駒印面とされ他端は印盤体への連結部とされている多数の駒印よりなる複数色の駒印群と、前記した駒印整列トレーの駒印立穴に対応する駒印受部が下面に形成されている把持筒と、駒印整列箱から駒印を摘み出す摘み具とを、収納ケースに区画形成されている収納用凹部に各別に収納してあることを特徴とする多色印判組立キットとよりなるものである。
【０００６】
なお、前記した多色印判においては、駒印に設けられた印盤体への連結部を駒印の他端面に設けたピン差込穴とするとともに、盤体の駒印受部にはピン差込穴に差込まれる保持ピンを設けたものとして連結を容易化したり、色の異なる複数色の駒印群を、駒印整列箱に色毎に区分けして収納されているものとして各色の駒印の選択を容易化しておくことが好ましく、また、駒印として少なくとも印面側が無数の連続気孔を有する多孔性印材よりなるものとしたり、印盤体を把持筒の下端に取り付けられたものとすることにより用途をさらに広げることができる。また印盤体の下面に形成される多色捺印用印面を複数色よりなるカラーコード用のものとすれば、二次元コードの普及にも役立つことができる。
【発明の効果】
【０００７】
本発明の多色印判は、前記したような構成であるから、先ず、駒印整列トレーの上面に縦横に仕切られている各駒印立穴に複数色の駒印群から選んだ所要の色の駒印をその捺印面を下向きとして差し込んで駒印整列トレーの上面に多色の絵柄を描いてゆけば、駒印整列トレー上に捺印用印面そのものが表れることとなるから、続いて、印盤体の下面側を駒印整列トレーの上面と突き合わせるだけで、駒印整列トレー上に配列されている全ての駒印はその連結部をもって印盤体の下面に形成されている駒印受部に駒印受部に移し変えられて印盤体の下面には多数の駒印面よりなる多色捺印用印面が形成されることとなり、各駒印面が的確に所定高さに配置されるので、自由に文字や絵、絵文字あるいはカラーコード等の捺印パターンを有する用途の広い多色印判であって、陰影がかすれることのなくて鮮明な捺印を行うことができるものを熟練を要することなく誰でもが簡単に提供できるうえに、駒印整列トレーから駒印群を同時に印盤体に移し変えることができるので、多色印判の組み立てを瞬時に完了することができるうえに、移し変え時にインクで手指を汚す恐れもない。また、本発明の多色印判組立キットは、前記したような多色印判を組み立てる各部材を整然と収納してあるので、多色印判を組み立てるうえで便利である。
【０００８】
また、駒印に設けられた印盤体への連結部が、駒印の他端面に設けたピン差込穴であり、印盤体の駒印受部にはピン差込穴に差込まれる保持ピンが設けられるものとすれば、僅かな位置ずれがあっても強度のある保持ピンは柔軟性のある駒印のピン差込穴に強制的に嵌挿されて位置合わせが自動的に行われるため、連結を容易に行うことができる。また、ピン差込穴に保持ピンが嵌合されることにより柔軟性のある駒印は補強されるので、駒印は捺印時、印面が変形して捺印が歪むことがなく鮮明な陰影を得ることができる。
【０００９】
さらに、色の異なる複数色の駒印群が、駒印整列箱に色毎に区分けして収納されるため、多色捺印用印面を形成する際、各色の駒印の選択が容易となるうえに、誤選択を防ぐことができるので多色捺印用印面の作成作業を短時間で完了させることができる。
【００１０】
また、駒印は、その少なくとも印面側が無数の連続気孔を有する多孔性印材よりなるものとすることにより、スタンプ台を用いることなく連続捺印が可能となるので、捺印を能率より行うことができる。
【００１１】
さらにまた、印盤体を把持筒の下端に取り付けられたものとすることにより、作成した捺印パターンを保管したい場合や印盤体が破損した場合等の取り扱いが容易に行えるものとなるし、印盤体の下面に形成される多色捺印用印面を、複数色よりなるカラーコード用のものとすれば、書籍やＣＤやＤＶＤに保存したデータや映像等をバーコード管理できるものとなる。
【発明を実施するための最良の形態】
【００１２】
次に、本発明の多色印判の好ましい実施形態を図面に基づいて詳細に説明する。
図１から図７に示す第１例おいて、１は下端の開口部内面に印盤体２を着脱自在に装着する把持筒であり、該把持筒１の下半部はキャップ３施蓋用の細筒部となっている。そして、この印盤体２には一端面を駒印面とし他端を印盤体２への連結部５ａとした多数個の駒印５が差し込まれて複数色の駒印群よりなる多色捺印用印面が形成される。なお、図示する連結部としてこの例では駒印５に設けられるピン差込穴５ａとしてある。また、印盤体２には駒印受部としての保持ピン２０が多数設けられ、該各保持ピン２０は連結部である各ピン差込穴５ａに嵌合される。なお、この駒印受部としての保持ピン２０は駒印５と同数として印盤体２の下面に縦横５列に突出されており、また、これらの保持ピン２０は駒印５を差し込んだとき、隣接する駒印５同士が接触しない間隔に配設される。
【００１３】
さらに、印盤体２の外周縁には環状隆起２１が形成され、該環状隆起２１は把持筒１の凹段部１１に形成される環状凹溝１２と係止することにより印盤体２は把持筒１に着脱自在に装着される。また、印盤体２は把持筒１の凹段部１１の段部に上縁の周縁角部を係止させることにより、印盤体２が上方に移動しないようになっている。印盤体２と把持筒１との取り付けは着脱自在としてもスナップフィット嵌合、圧入嵌合、接着、超音波による溶融でもよいことは勿論である。
【００１４】
また、柱状の駒印５は図4 に示されるように、印面を球面としても、図５に示されるように平面としてもよいことは勿論であるが、印面を球面とすれば駒印５が保持ピン２０に若干の高低差をもって差込まれたとしても、文字や絵、あるいは絵文字等の陰影を欠損部を生じることなく捺印することができる。また、印面を平面とすれば隣接する駒印５の陰影が明確となりカラーコードとして精度を向上させることができる。カラーコードは二次元バーコードより解像度が低くても読み取ることができるので、多色印判による捺印でも読み取りができるものである。
【００１５】
１０は把持筒１の細筒部の基部外周に形成される環状隆起であり、該環状隆起１０はキャップ３の開口縁内周に形成される環状隆起３０と係止されてキャップ３の抜け止めを行うものである。このため把持筒１の環状隆起１０はキャップ３の環状隆起３０より下側に配設される。
【００１６】
４は駒印５を捺印用印面に合わせて差し込む駒印整列トレーであり、図３に示されるように駒印整列トレー４は肉薄隔壁により縦横５列に仕切られた２５個の駒印立穴４０よりなる。該駒印立穴４０はその横断面を略四角形状としている。これは柱状の駒印５を摘み具Ｐで摘んで駒印立穴４０に差し込む際、摘み具Ｐの摘み部を駒印立穴４０の角部に配置させることにより、駒印５を駒印立穴４０に差し込んで、摘み具Ｐの摘み部から駒印５を開放する際の開き代が得られるからである。
【００１７】
もし、駒印立穴４０が駒印５の外径と同じ内径を有する円形であれば、摘み具Ｐの摘み部を十分開放することができず、摘み具Ｐを引き出しと同時に、駒印５が一緒になって引き出される恐れがあるからである。また、駒印５の上部を摘み具Ｐで摘んで駒印立穴４０に差し込むようにすれば、摘み具Ｐの開き代は得られるが、駒印５を駒印立穴４０内に十分差し込むことができず、各駒印５の差し込み高さが不揃いとなって捺印不良が発生する恐れが生じる。なお、図において４１は駒印立穴４０の周囲を囲んで設けられる目印であり、該目印４１に従って印盤体２と駒印整列トレー４との位置合わせを行って駒印５のピン差込穴５ａと印盤体２の保持ピン２０との嵌合が円滑に行われるようにしている。また、目印４１を浅い溝状とすれば、把持筒１の下端と係合すると同時に溝がストッパとして作用し駒印５の破損を防止するものとなる。  
【００１８】
７は多色印判組立キットであり、該多色印判組立キット７は、肉薄隔壁により縦横に仕切られた多数の駒印立穴４０を上面に備えた駒印整列トレー４と、前記した各駒印立穴４０に少なくとも端部が嵌挿される大きさで、一端面が駒印面とされ他端は印盤体２への連結部とされている多数の駒印５よりなる複数色の駒印群と、前記した駒印整列トレー４の駒印立穴４０に対応する駒印受部が下面に形成されている把持筒１と、駒印整列箱７２に整列されている駒印群から駒印５を摘み出すピンセットとを、収納ケース７１に区画形成されている収納用凹部に各別に収納したものであって、収納ケース７１の複数の駒印整列箱に各色毎の駒印５を収納するとともに、把持筒１、駒印整列トレー４、ピンセットＰを収納したものである。キャップ３と印盤体２は把持筒１に取り付けた状態としている。
【００１９】
このような多色印判を組み立てるには、まず、図７に示されるような多色印判キット７の収納ケース７１の駒印整列箱７２内に収納されている各色の駒印５を、作成する捺印用印面に合わせて選択して摘み具Ｐで取り出し、机上等に載置されている駒印整列トレー４の駒印立穴４０内に後端のピン差込穴５ａが上面に露呈されるように駒印５を差し込んでいく。このようにして合計２５個の駒印５を駒印整列トレー４の駒印立穴４０内に立設させて駒印整列トレー４内に文字または絵、絵文字あるいはカラーコード等の捺印用印面を作成する。
【００２０】
次いで、多色印判キット７の収納ケース７１内に収納されている杷持筒１を取り出し、キャップ３を外して把持筒１の印盤体２の保持ピン２０を露呈させたうえ、図６に示されるように目印４１に従って駒印整列トレー４内の駒印５のピン差込穴５ａと保持ピン２０との位置合わせを行ったうえ、把持筒１を駒印整列トレー４に押し付ければ、保持ピン２０は駒印５のピン差込穴５ａに差し込まれることとなる。
【００２１】
このようにして保持ピン２０をピン差込穴５ａに嵌合させた後、把持筒１を引き上げれば、駒印５は印盤体２の保持ピン２０に差し込まれた状態で駒印整列トレー４から引き出される。このようにして印盤体２には駒印５により文字や絵、絵文字あるいはカラーコード等の捺印用印面が形成されるので、把持筒１を把持して紙面その他の面に対して押し付ければ文字や絵、絵文字あるいはカラーコードが捺印されることとなる。
【００２２】
なお、前記した第１例では駒印５に保持ピン２０を差し込むピン差込穴５ａを形成したものとしているが、保持ピン２０が予め駒印５に形成されており、印盤体２に多数のピン差込穴が形成されたものとするなど具体的構成は限定されないことは勿論である。
【００２３】
また、図８に示される第２例は、印盤体２を多数の角型ブロック２２よりなるものとするとともに、各角型ブロック２２をキー２３により相互に連繋させて位置ずれが生じないようにして把持筒１内に収納する点および、印盤体２施蓋されるキャップ３がひも付きである点以外の組立および作用効果は前記第１例と同じため、同一符号を付して説明を省略する。
【００２４】
さらに、図９に示される第３例は、印盤体２を多数の角型ブロック２２を連結したものとするとともに駒印５を角型とし、該駒印５の下部を連結部として印盤体２の駒印受部を駒印５の下部連結部が嵌合される角型凹部を角型ブロック２２の上部に形成したものとし、さらに、各角型ブロック２２同士を連結する連結手段２４を角型ブロック２２の側壁に形成される連結用凹凸として連結手段２４により連結一体化された角型ブロック２２を把持筒１に収納した点および、印盤体２に施蓋されるキャップ３がひも付きである点以外の構成および作用効果は第1 の実施例と同じため同一符号を付して説明を省略する。
【図面の簡単な説明】
【００２５】
【図１】本発明の多色印判の実施形態の第１例を示す断面図である。
【図２】同じくキャップを外した状態を示す斜視図である。
【図３】駒印を配列させる駒印整列トレーを示す平面図である。
【図４】印面を球面とした駒印の斜視図である。
【図５】印面を平面とした駒印の斜視図である。
【図６】駒印を印盤体に取り付ける状態を示す一部切欠斜視図である。
【図７】多色印判キットを示す斜視図である。
【図８】本発明の多色印判の実施形態の第２例を示す一部切欠斜視図である。
【図９】本発明の多色印判の実施形態の第３例を示す一部切欠斜視図である。
【符号の説明】
【００２６】
１  把持筒
２  印盤体
４  駒印整列トレー
５  駒印
5a  ピン差込穴
20  保持ピン
40  駒印立穴
【図１】
2008100474.tif 000003
【図２】
2008100474.tif 000004
【図３】
2008100474.tif 000005
【図４】
2008100474.tif 000006
【図５】
2008100474.tif 000007
【図６】
2008100474.tif 000008
【図７】
2008100474.tif 000009
【図８】
2008100474.tif 000010
【図９】
2008100474.tif 000011